(57)【要約】【課題】  記録フォーマットが異なる各デジタルハイビジョンカメラ等の間でのデータダビングをリアルタイムで行い、データダビングに要する時間を大幅に短縮する。【解決手段】  信号入力部２によって、再生装置６から出力されるＭＰＥＧ２−ＴＳデータストリームの画像データを抽出し、制御部３によって、画像データのＶライン数を検出するとともに、この検出結果等に基づき、信号変換部４を制御して、“４８０ｐ／７２０ｐ→１０８０ｉ変換”、または“１０８０ｉ→４８０ｐ変換”、“１０８０ｉ→７２０ｐ変換”しながら、信号出力部５によって、ＭＰＥＧ２−ＴＳデータストリームに再エンコードし、記録装置７に記録する。【選択図】図１
2007082146.tif 000002
【特許請求の範囲】
【請求項１】
ＩＥＥＥ１３９４インタフェース回路を介して再生装置から記録装置にＭＰＥＧ２−ＴＳデータストリームを伝送する際に記録フォーマットの異なるデータをダビングできるようにした映像信号変換装置であって、
前記ＭＰＥＧ２−ＴＳデータストリームを取り込む信号入力回路と、
取り込まれたＭＰＥＧ２−ＴＳデータストリーム中から画像データを抽出するデコーダ回路と、
抽出された画像データより入力されたＭＰＥＧ２−ＴＳデータストリームの垂直ライン数を検出する検出回路と、
前記画像データを所定規格の垂直ラインを有する画像データに変換する複数の信号変換回路と、
前記検出回路により検出された垂直ライン数に応じて前記複数の信号変換回路の入力を選択する第１のスイッチ部と、
出力される画像データのライン数を指示する制御部と、
前記制御部からの指示に基づいて前記複数の信号変換回路の出力を選択する第２のスイッチ部と、
前記第２のスイッチ部より出力される画像データをＭＰＥＧ−ＴＳデータストリームに変換するエンコーダ回路と、
エンコードされたＭＰＥＧ−ＴＳデータストリームを出力する信号出力回路と、
を有することを特徴とする映像信号変換装置。
【発明の詳細な説明】
【技術分野】
【０００１】
本発明は、記録フォーマットが異なる各デジタルハイビジョンカメラ等の間でのデータダビングをリアルタイムで行う映像信号変換装置に関する。
【背景技術】
【０００２】
近年、デジタルハイビジョン映像記録が可能なデジタルハイビジョンカメラが開発され、使用台数もかなり増えてきている。
【０００３】
このようなデジタルハイビジョンカメラでは、現在普及しているＤＶ規格のカセットテープを使用して、ハイビジョンの映像と音声を記録することができる規格として、４８０ｐ／７２０ｐ方式のＨＤＶ規格、または１０８０ｉ方式のＨＤＶ規格のいずれかを使用することが多い。
【特許文献１】特開平１０−２７１１４６号公報
【発明の開示】
【発明が解決しようとする課題】
【０００４】
ところで、このようなデジタルハイビジョンカメラでは、一方の規格、例えば４８０ｐ／７２０ｐ方式のデジタルハイビジョンカメラに記録されているデジタルハイビジョン映像信号を他方の規格、例えば１０８０ｉ方式のデジタルハイビジョンカメラに直接、ダビングすることができない。
【０００５】
そこで、異なる規格のデジタルハイビジョンカメラ間でデータのダビングを行うときには、一方の規格、例えば４８０ｐ／７２０ｐ方式のデジタルハイビジョンカメラに記録されているデジタルハイビジョン映像信号を再生して、ノンリニア編集装置等に記憶した後、ファイルベースで、１０８０ｉ方式のデジタルハイビジョン映像信号に変換し、他方の規格、例えば１０８０ｉ方式のデジタルハイビジョンカメラに記録するという方法で、データダビングを行っている。
【０００６】
しかしながら、このようなデータダビング方法では、リアルタイムでデータダビングを行うことができず、データダビングに時間がかかりすぎることから、記録フォーマットが異なる各デジタルハイビジョンカメラ間でのデータダビングをリアルタイムで行うことができる映像信号変換装置の開発が強く望まれていた。
【０００７】
本発明は上記の事情に鑑み、記録フォーマットが異なる各デジタルハイビジョンカメラ等の間のデータダビングをリアルタイムで行わせて、データダビングに要する時間を大幅に短縮することができる映像信号変換装置を提供することを目的としている。
【課題を解決するための手段】
【０００８】
上記の目的を達成するために本発明は、ＩＥＥＥ１３９４インタフェース回路を介して再生装置から記録装置にＭＰＥＧ２−ＴＳデータストリームを伝送する際に記録フォーマットの異なるデータをダビングできるようにした映像信号変換装置であって、前記ＭＰＥＧ２−ＴＳデータストリームを取り込む信号入力回路と、取り込まれたＭＰＥＧ２−ＴＳデータストリーム中から画像データを抽出するデコーダ回路と、抽出された画像データより入力されたＭＰＥＧ２−ＴＳデータストリームの垂直ライン数を検出する検出回路と、前記画像データを所定規格の垂直ラインを有する画像データに変換する複数の信号変換回路と、前記検出回路により検出された垂直ライン数に応じて前記複数の信号変換回路の入力を選択する第１のスイッチ部と、出力される画像データのライン数を指示する制御部と、前記制御部からの指示に基づいて前記複数の信号変換回路の出力を選択する第２のスイッチ部と、前記第２のスイッチ部より出力される画像データをＭＰＥＧ−ＴＳデータストリームに変換するエンコーダ回路と、エンコードされたＭＰＥＧ−ＴＳデータストリームを出力する信号出力回路とを有することを特徴としている。
【発明の効果】
【０００９】
本発明によれば、記録フォーマットが異なる各デジタルハイビジョンカメラ等の間のデータダビングをリアルタイムで行うことができ、データダビングに要する時間を大幅に短縮することができる。
【発明を実施するための最良の形態】
【００１０】
《第１の実施形態》
図１は本発明による映像信号変換装置の第１の実施形態を示すブロック図である。
【００１１】
この図に示す映像信号変換装置１は、ＭＰＥＧ２−ＴＳデータストリームを取り込んで画像データを抽出する信号入力部２と、信号入力部２から出力される画像データのＶ（垂直）ライン数、または編集者等からの指示に応じた入力選択指示、または出力選択指示を出力する制御部３と、制御部３から出力される入力選択指示、出力選択指示に応じて、信号入力部２から出力される画像データを“４８０ｐ／７２０ｐ→１０８０ｉ変換”、または“１０８０ｉ→４８０ｐ／７２０ｐ変換”する信号変換部４と、信号変換部４から出力される画像データをＭＰＥＧ２−ＴＳデータストリームにして出力する信号出力部５とを備えている。
【００１２】
信号入力部２は、図２に示すように、ＩＥＥＥ１３９４ケーブル８を介して再生装置６のＩＥＥＥ１３９４インタフェース回路９に接続されて“Ｐｏｉｎｔ−ｔｏ−Ｐｏｉｎｔ”コネクション、または“Ｂｒｏａｄｃａｓｔ”コネクションを確立するＩＥＥＥ１３９４インタフェース回路１０と、“Ｐｏｉｎｔ−ｔｏ−Ｐｏｉｎｔ”コネクション、または“Ｂｒｏａｄｃａｓｔ”コネクションが確立されているとき、再生装置６、ＩＥＥＥ１３９４インタフェース９、ＩＥＥＥ１３９４ケーブル８、ＩＥＥＥ１３９４インタフェース回路１０を順次介して、再生装置６からアイソクロナス伝送方式で出力されるＭＰＥＧ２−ＴＳデータストリームを取り込むＩＥＥＥ１３９４入力回路１１と、ＩＥＥＥ１３９４入力回路１１で取り込まれたＭＰＥＧ２−ＴＳデータストリームをデコードして画像データを取り出すＭＰＥＧ２−ＴＳデコーダ回路１２とを備えている。
【００１３】
制御部３は、１０８０ｉのＭＰＥＧ２−ＴＳデータストリームを４８０ｐ／７２０ｐのＭＰＥＧ２−ＴＳデータストリームに変換して出力するとき、編集者等の操作内容に応じた変換指示（４８０ｐ選択指示、または７２０ｐ選択指示）を生成する４８０ｐ／７２０ｐ選択回路１３と、信号入力部２から出力される画像データ内のシーケンスヘッダに書き込まれているＶライン数を検出して、４８０ｐ／７２０ｐ／１０８０ｉのいずれであるか判別し、この判別結果に応じた入力選択指示を出力するＶライン数検出回路１４と、Ｖライン数検出回路１４から出力される入力選択指示内容と４８０ｐ／７２０ｐ選択回路１３の変換指示内容とに応じた出力選択指示を出力する出力Ｖライン数選択回路１５とを備えている。
【００１４】
信号変換部４は、信号入力端子１８によって信号入力部２から出力される画像データを受け取り、制御部３から出力される入力選択指示に応じて、４８０ｐ入力端子１９、７２０ｐ入力端子２０、または１０８０ｉ入力端子２１のいずれかに導く入力切替スイッチ１７と、４８０ｐ入力端子１９、または７２０ｐ入力端子２０を介して画像データを取り込んで“４８０ｐ／７２０ｐ→１０８０ｉ変換”する４８０ｐ／７２０ｐ→１０８０ｉ変換回路２２と、１０８０ｉ入力端子２１を介して画像データを取り込んで“１０８０ｉ→４８０ｐ変換”する１０８０ｉ→４８０ｐ変換回路２３と、１０８０ｉ入力端子２１を介して画像データを取り込んで“１０８０ｉ→７２０ｐ変換”する１０８０ｉ→７２０ｐ変換回路２４と、４８０ｐ／７２０ｐ→１０８０ｉ変換回路２２からの１０８０ｉの画像データを受け取る１０８０ｉ出力端子２６、１０８０ｉ→４８０ｐ変換回路２３から４８０ｐの画像データを受け取る４８０ｐ出力端子２７、および１０８０ｉ→７２０ｐ変換回路から７２０ｐの画像データを受け取る７２０ｐ出力端子２８を有し、制御部３から出力される出力選択指示に応じて、１０８０ｉ出力端子２６、４８０ｐ出力端子２７、または７２０ｐ出力端子２８のいずれかと信号出力端子２９とを接続する出力切替スイッチ２５とを備えている。
【００１５】
信号出力部５は、図２に示すように、ＩＥＥＥ１３９４ケーブル３０を介して記録装置７のＩＥＥＥ１３９４インタフェース回路３１に接続されているとき、ＩＥＥＥ１３９４ケーブル３０を介して、記録装置７のＩＥＥＥ１３９４インタフェース回路３１と通信し、“Ｐｏｉｎｔ−ｔｏ−Ｐｏｉｎｔ”コネクション、または“Ｂｒｏａｄｃａｓｔ”コネクションを確立するＩＥＥＥ１３９４インタフェース回路３４と、信号変換部４から出力される画像データを取り込み、ＭＰＥＧ２−ＴＳデータストリームに再エンコードするＭＰＥＧ２−ＴＳエンコーダ回路３２と、ＩＥＥＥ１３９４インタフェース回路３４が記録装置７のＩＥＥＥ１３９４インタフェース回路３１と“Ｐｏｉｎｔ−ｔｏ−Ｐｏｉｎｔ”コネクション、または“Ｂｒｏａｄｃａｓｔ”コネクションを確立している状態で、ＭＰＥＧ２−ＴＳエンコーダ回路３２からＭＰＥＧ２−ＴＳデータストリームが出力されたとき、これを取り込みながら、ＩＥＥＥ１３９４インタフェース回路３４に供給して、ＩＥＥＥ１３９４ケーブル３０、ＩＥＥＥ１３９４インタフェース回路３１を順次、介し、アイソクロナス伝送方式で記録装置７に供給するＩＥＥＥ１３９４出力回路３３とを備えている。
【００１６】
次に、第１の実施形態の作用を説明する。
【００１７】
本実施の形態では、図２に示すように、信号入力部２に再生装置６となるデジタルハイビジョンカメラ等が接続されるとともに、信号出力部５に記録装置７となるデジタルハイビジョンカメラ等が接続されているとき、再生装置６から出力されるＭＰＥＧ２−ＴＳデータストリームを取り込んで、４８０ｐ／７２０ｐ方式から１０８０ｉ方式、または１０８０ｉ方式から４８０ｐ／７２０ｐ方式に変換して、ＭＰＥＧ２−ＴＳデータストリームに戻し、記録装置７に記録するようにしている。
【００１８】
信号入力部２は、ＩＥＥＥ１３９４ケーブル８を介して再生装置６のＩＥＥＥ１３９４インタフェース回路９に接続されているとき、再生装置６側とコネクションを確立して、再生装置６からアイソクロナス伝送方式で出力されるＭＰＥＧ２−ＴＳデータストリームを取り込んで、画像データを抽出し、制御部３と、信号変換部４とに供給する。
【００１９】
制御部３では、図３のフローチャートに示すように、信号入力部２から出力される画像データのＶライン数を検出して、４８０ｐ、７２０ｐ、１０８０ｉのいずれであるか判別し、４８０ｐの画像データであるとき（ステップＳ１）、４８０ｐ入力端子１９を指定する入力選択指示と、１０８０ｉ出力端子２６とを指定する出力選択指示とを生成して、信号変換部４に供給し（ステップＳ２）、また信号入力部２から出力される画像データが７２０ｐであるとき（ステップＳ３）、７２０ｐ入力端子２０を指定する入力選択指示と、１０８０ｉ出力端子２６を指定する出力選択指示とを生成して、信号変換部４に供給し（ステップＳ４）、また信号入力部２から出力される画像データが１０８０ｉであるとき（ステップＳ３）、１０８０ｉ入力端子２１を指定する入力選択指示を生成して、信号変換部４に供給するとともに（ステップＳ５）、編集者等の操作内容に応じた４８０ｐ出力端子２７、または７２０ｐ出力端子２８を指定する出力選択指示を生成して、信号変換部４に供給する（ステップＳ６〜Ｓ８）。
【００２０】
そして、信号変換部４では、制御部３から出力される入力選択指示によって、４８０ｐ入力端子１９が指定され、出力選択指示によって、１０８０ｉ出力端子２６が指定されているとき、入力切替スイッチ１７の信号入力端子１８と４８０ｐ入力端子１９とを接続するとともに、出力切替スイッチ２５の１０８０ｉ出力端子２６と信号出力端子２９とを接続して、信号入力部２から出力される画像データを４８０ｐ／７２０ｐ→１０８０ｉ変換回路２２に導き、“４８０ｐ／７２０ｐ→１０８０ｉ変換”して、信号出力部５に１０８０ｉの画像データを供給する。また、制御部３から出力される入力選択指示によって、７２０ｐ入力端子２０が指定され、出力選択指示によって、１０８０ｉ出力端子２６が指定されているとき、入力切替スイッチ１７の信号入力端子１８と７２０ｐ入力端子２０とを接続するとともに、出力切替スイッチ２５の１０８０ｉ出力端子２６と信号出力端子２９とを接続して、信号入力部２から出力される画像データを４８０ｐ／７２０ｐ→１０８０ｉ変換回路に導き、“４８０ｐ／７２０ｐ→１０８０ｉ変換して、信号出力部５に１０８０ｉの画像データを供給する。
【００２１】
また、制御部３から出力される入力選択指示によって、１０８０ｉ入力端子２１が指定され、出力選択指示によって、４８０ｐ出力端子２７が指定されているとき、入力切替スイッチ１７の信号入力端子１８と１０８０ｉ入力端子２１とを接続するとともに、出力切替スイッチ２５の４８０ｐ出力端子２７と信号出力端子２９とを接続して、信号入力部２から出力される画像データを１０８０ｉ→４８０ｐ変換回路２３と、１０８０ｉ→７２０ｐ変換回路２４とに導き、“１０８０ｉ→４８０ｐ変換”、“１０８０ｉ→７２０ｐ変換”して、４８０ｐの画像データを選択し、信号出力部５に供給する。また、制御部３から出力される入力選択指示によって、１０８０ｉ入力端子２１が指定され、出力選択指示によって、７２０ｐ出力端子２８が指定されているとき、入力切替スイッチ１７の信号入力端子１８と１０８０ｉ入力端子２１とを接続するとともに、出力切替スイッチ２５の７２０ｐ出力端子２８と信号出力端子２９とを接続して、信号入力部２から出力される画像データを１０８０ｉ→４８０ｐ変換回路２３と、１０８０ｉ→７２０ｐ変換回路２４とに導き、“１０８０ｉ→４８０ｐ変換”、“１０８０ｉ→７２０ｐ変換”して、７２０ｐの画像データを選択し、信号出力部５に供給する。
【００２２】
信号出力部５は、ＩＥＥＥ１３９４ケーブル３０を介して記録装置７のＩＥＥＥ１３９４インタフェース回路３１に接続されているとき、記録装置７側とコネクションを確立した状態で、信号変換部４から出力される画像データを取り込みながら、これをＭＰＥＧ２−ＴＳデータストリームに再エンコードし、アイソクロナス伝送方式で記録装置７に供給する。
【００２３】
このように、第１の実施形態では、信号入力部２と、制御部３と、信号変換部４と、信号出力部５とによって、図２に示すように、信号入力部２に再生装置６となるデジタルハイビジョンカメラ等が接続されるとともに、信号出力部５に記録装置７となるデジタルハイビジョンカメラ等が接続されているとき、再生装置６から出力されるＭＰＥＧ２−ＴＳデータストリームを取り込んで、“４８０ｐ／７２０ｐ→１０８０ｉ変換”、または“１０８０ｉ→４８０ｐ変換”、“１０８０ｉ→７２０ｐ変換”しながら、ＭＰＥＧ２−ＴＳデータストリームに再エンコードして、記録装置７に記録するようにしているので、記録フォーマットが異なる各デジタルハイビジョンカメラ等の間のデータダビングをリアルタイムで行うことができ、データダビングに要する時間を大幅に短縮することができる。
【００２４】
《第２の実施形態》
図４は本発明による映像信号変換装置の第２の実施形態を示すブロック図である。なお、この図において、図１の各部と同一部分には、同一符号を付し、その説明は省略する。
【００２５】
この図に示す映像信号変換装置４１は、１秒間に６０フィールドの画像データを持つデジタルハイビジョン映像データ（ＭＰＥＧ２−ＴＳデータストリーム）、または１秒間に５０フィールドの画像データを持つデジタルハイビジョン映像データ（ＭＰＥＧ２−ＴＳデータストリーム）を取り込んで画像データを抽出する信号入力部２と、信号入力部２から出力される画像データのＶライン数、編集者等からの指示に応じた入力選択指示、出力選択指示を出力する制御部４２と、制御部４２から出力される入力選択指示、出力選択指示に応じて、信号入力部２から出力される画像データを“４８０ｐ／５７６ｐ／７２０ｐ→１０８０ｉ変換”、または“１０８０ｉ→４８０ｐ／５７６ｐ／７２０ｐ変換”する信号変換部４３と、信号変換部４３から出力される画像データをＭＰＥＧ２−ＴＳデータストリームにして出力する信号出力部５とを備えている。
【００２６】
制御部４２は、１０８０ｉのＭＰＥＧ２−ＴＳデータストリームを４８０ｐ／５７６ｐ／７２０ｐのＭＰＥＧ２−ＴＳデータストリームに変換して出力するとき、編集者等の操作内容に応じて４８０ｐ選択指示、または５７６ｐ選択指示、あるいは７２０ｐ選択指示を出す４８０ｐ／５７６ｐ／７２０ｐ選択回路４４と、信号入力部２から出力される画像データ内のシーケンスヘッダに書き込まれているＶライン数を検出して４８０ｐ／５７６ｐ／７２０ｐ／１０８０ｉのいずれであるか判別し、この判別結果に応じた入力選択指示を出力するＶライン数検出回路４５と、Ｖライン数検出回路４５から出力される入力選択指示と４８０ｐ／５７６ｐ／７２０ｐ選択回路４４の選択指示内容とに応じて、出力選択指示を出力する出力Ｖライン数選択回路４６とを備えている。
【００２７】
信号変換部４３は、信号入力端子１８によって信号入力部２から出力される画像データを受け取りながら、制御部４２から出力される入力選択指示に応じて、４８０ｐ入力端子１９、５７６ｐ入力端子４８、７２０ｐ入力端子２０、１０８０ｉ入力端子２１のいずれかに導く入力切替スイッチ４７と、４８０ｐ入力端子１９、または５７６ｐ入力端子４８、７２０ｐ入力端子２０を介して画像データが供給されたとき、これを取り込み、“４８０ｐ／５７６ｐ／７２０ｐ→１０８０ｉ変換”する４８０ｐ／５７６ｐ／７２０ｐ→１０８０ｉ変換回路４９と、１０８０ｉ入力端子２１を介して画像データが供給されたとき、これを取り込み、“１０８０ｉ→４８０ｐ変換”する１０８０ｉ→４８０ｐ変換回路２３と、１０８０ｉ入力端子２１を介して画像データが供給されたとき、これを取り込み、“１０８０ｉ→５７６ｐ変換”する１０８０ｉ→５７６ｐ変換回路５０と、１０８０ｉ入力端子２１を介して画像データが供給されたとき、これを取り込み、“１０８０ｉ→７２０ｐ変換”する１０８０ｉ→７２０ｐ変換回路２４と、４８０ｐ／５７６ｐ／７２０ｐ→１０８０ｉ変換回路４９から１０８０ｉの画像データが出力されているとき、これを受け取る１０８０ｉ出力端子２６、１０８０ｉ→４８０ｐ変換回路２３から４８０ｐの画像データが出力されているとき、これを受け取る４８０ｐ出力端子２７、１０８０ｉ→５７６ｐ変換回路５０から５７６ｐの画像データが出力されているとき、これを受け取る５７６ｐ出力端子５１、１０８０ｉ→７２０ｐ変換回路２４から７２０ｐの画像データが出力されているとき、これを受け取る７２０ｐ出力端子２８を持ち、制御部４２から出力される出力選択指示に応じて、１０８０ｉ出力端子２６、４８０ｐ出力端子２７、５７６ｐ出力端子５１、７２０ｐ出力端子２８のいずれかと信号出力端子２９とを接続する出力切替スイッチ２５とを備えている。
【００２８】
次に、第２の実施形態の作用を説明する。
【００２９】
本実施の形態では、信号入力部２に再生装置となるデジタルハイビジョンカメラ等が接続されるとともに、信号出力部５に記録装置となるデジタルハイビジョンカメラ等が接続されているとき、再生装置から出力されるＭＰＥＧ２−ＴＳデータストリームを取り込んで、４８０ｐ／５７６ｐ／７２０ｐから１０８０ｉ方式、または１０８０ｉ方式から４８０ｐ／５７６ｐ／７２０ｐ方式に変換して、ＭＰＥＧ２−ＴＳデータストリームに戻し、記録装置に記録するようにしている。
【００３０】
信号入力部２は、ＩＥＥＥ１３９４ケーブルを介して再生装置のＩＥＥＥ１３９４インタフェース回路に接続されているとき、再生装置側とコネクションを確立して、再生装置からアイソクロナス伝送方式で出力されるＭＰＥＧ２−ＴＳデータストリームを取り込んで、画像データを抽出し、制御部４２と、信号変換部４３とに供給する。
【００３１】
制御部４２は、信号入力部２から出力される画像データのＶライン数を検出し、この画像データが４８０ｐ、５７６ｐ、７２０ｐ、１０８０ｉのいずれであるか判別し、４８０ｐの画像データであるとき、４８０ｐ入力端子１９を指定する入力選択指示と、１０８０ｉ出力端子２６を指定する出力選択指示とを生成して、信号変換部４３に供給し、また信号入力部２から出力される画像データが５７６ｐであるとき、５７６ｐ入力端子４８を指定する入力選択指示と、１０８０ｉ出力端子２６を指定する出力選択指示とを生成して、信号変換部４３に供給し、また信号入力部２から出力される画像データが７２０ｐであるとき、７２０ｐ入力端子２０を指定する入力選択指示と、１０８０ｉ出力端子２６を指定する出力選択指示とを生成して、信号変換部４３に供給し、また信号入力部２から出力される画像データが１０８０ｉであるとき、１０８０ｉ入力端子２１を指定する入力選択指示と、編集者等の操作内容に応じた４８０ｐ出力端子２７、または５７６ｐ出力端子５１、あるいは７２０ｐ出力端子２８を指定する出力選択指示とを生成して、信号変換部４３に供給する。
【００３２】
信号変換部４３は、制御部４２から出力される入力選択指示によって、４８０ｐ入力端子１９が指定され、出力選択指示によって、１０８０ｉ出力端子２６が指定されているとき、入力切替スイッチ４７の信号入力端子１８と４８０ｐ入力端子１９とを接続するとともに、出力切替スイッチ２５の１０８０ｉ出力端子２６と信号出力端子２９とを接続して、信号入力部２から出力される画像データを４８０ｐ／５７６ｐ／７２０ｐ→１０８０ｉ変換回路４９に導き、“４８０ｐ／５７６ｐ／７２０ｐ→１０８０ｉ変換”して、信号出力部５に１０８０ｉの画像データを供給する。また、制御部４２から出力される入力選択指示によって、５７６ｐ入力端子４８が指定され、出力選択指示によって、１０８０ｉ出力端子２６が指定されているとき、入力切替スイッチ４７の信号入力端子１８と５７６ｐ入力端子４８とを接続するとともに、出力切替スイッチ２５の１０８０ｉ出力端子２６と信号出力端子２９とを接続して、信号入力部２から出力される画像データを４８０ｐ／５７６ｐ／７２０ｐ→１０８０ｉ変換回路４９に導き、“４８０ｐ／５７６ｐ／７２０ｐ→１０８０ｉ変換”して、信号出力部５に１０８０ｉの画像データを供給する。
【００３３】
また、制御部４２から出力される入力選択指示によって、７２０ｐが指定され、出力選択指示によって、１０８０ｉ出力端子が指定されているとき、入力切替スイッチ４７の信号入力端子１８と７２０ｐ入力端子２０とを接続するとともに、出力切替スイッチ２５の１０８０ｉ出力端子２６と信号出力端子２９とを接続して、信号入力部２から出力される画像データを４８０ｐ／５７６ｐ／７２０ｐ→１０８０ｉ変換回路４９に導き、“４８０ｐ／５７６ｐ／７２０ｐ→１０８０ｉ変換”して、信号出力部５に１０８０ｉの画像データを供給する。また、制御部４２から出力される入力選択指示によって、１０８０ｉ入力端子２１が指定され、出力選択指示によって、４８０ｐ出力端子２７が指定されているとき、入力切替スイッチ４７の信号入力端子１８と１０８０ｉ入力端子２１とを接続するとともに、出力切替スイッチ２５の４８０ｐ出力端子２７と信号出力端子２９とを接続して、信号入力部２から出力される画像データを１０８０ｉ→４８０ｐ変換回路２３と、１０８０ｉ→５７６ｐ変換回路５０と、１０８０ｉ→７２０ｐ変換回路２４とに導き、“１０８０ｉ→４８０ｐ変換”、“１０８０ｉ→５７６ｐ変換”、“１０８０ｉ→７２０ｐ変換”して、信号出力部５に４８０ｐの画像データを供給する。
【００３４】
また、制御部４２から出力される入力選択指示によって、１０８０ｉ入力端子２１が指定され、出力選択指示によって、５７６ｐ出力端子５１が指定されているとき、入力切替スイッチ４７の信号入力端子１８と１０８０ｉ入力端子２１とを接続するとともに、出力切替スイッチ２５の５７６ｐ出力端子５１と信号出力端子２９とを接続して、信号入力部２から出力される画像データを１０８０ｉ→４８０ｐ変換回路２３と、１０８０ｉ→５７６ｐ変換回路５０と、１０８０ｉ→７２０ｐ変換回路２４とに導き、“１０８０ｉ→４８０ｐ変換”、“１０８０ｉ→５７６ｐ変換”、“１０８０ｉ→７２０ｐ変換”して、信号出力部５に５７６ｐの画像データを供給する。また、制御部４２から出力される入力選択指示によって、１０８０ｉ入力端子２１が指定され、出力選択指示によって、７２０ｐ出力端子２８が指定されているとき、入力切替スイッチ４７の信号入力端子１８と１０８０ｉ入力端子２１とを接続するとともに、出力切替スイッチ２５の７２０ｐ出力端子２８と信号出力端子２９とを接続して、信号入力部２から出力される画像データを１０８０ｉ→４８０ｐ変換回路２３と、１０８０ｉ→５７６ｐ変換回路５０と、１０８０ｉ→７２０ｐ変換回路２４とに導き、“１０８０ｉ→４８０ｐ変換”、“１０８０ｉ→５７６ｐ変換”、“１０８０ｉ→７２０ｐ変換”して、信号出力部５に７２０ｐの画像データを供給する。
【００３５】
信号出力部５は、ＩＥＥＥ１３９４ケーブルを介して記録装置のＩＥＥＥ１３９４インタフェース回路に接続されているとき、記録装置側とコネクションを確立した状態で、信号変換部４３から出力される画像データを取り込みながら、これをＭＰＥＧ２−ＴＳデータストリームに再エンコードし、アイソクロナス伝送方式で記録装置に供給する。
【００３６】
このように、第２の実施形態では、信号入力部２と、制御部４２と、信号変換部４３と、信号出力部５とによって、信号入力部２に再生装置となるデジタルハイビジョンカメラ等を接続されるとともに、信号出力部５に記録装置となるデジタルハイビジョンカメラ等を接続されているとき、再生装置から出力されるＭＰＥＧ２−ＴＳデータストリームを取り込んで、“４８０ｐ／５７６ｐ／７２０ｐ→１０８０ｉ変換”、または“１０８０ｉ→４８０ｐ変換”、“１０８０ｉ→５７６ｐ変換”、“１０８０ｉ→７２０ｐ変換”しながら、ＭＰＥＧ２−ＴＳデータストリームに再エンコードして、記録装置に記録するようにしているので、４８０ｐ／５７６ｐ／７２０ｐと１０８０ｉ等のＶライン数が異なる規格のデジタルハイビジョンカメラ等の間で、リアルタイムにデータダビングを行うことができ、データダビングに要する時間を大幅に短縮することができる。
【００３７】
《第３の実施形態》
図５は本発明による映像信号変換装置の第３の実施形態を示すブロック図である。なお、この図において、図１の各部と同一部分には、同一符号を付してその説明は省略する。
【００３８】
この図に示す映像信号変換装置６１は、記録再生機能を持つデジタルハイビジョンカメラ等に接続されるＡポート６２と、記録再生機能を持つデジタルハイビジョンカメラ等に接続されるＢポート６３と、編集者等によって設定された内容に基づき、ダビング方向指示を出力するダビング方向設定回路６４と、ダビング方向設定回路６４から出力されるダビング方向指示が“Ａポート→Ｂポート”であるとき、入出力端子６５と信号入力端子６６とを接続し、また“Ｂポート→Ａポート”であるとき、入出力端子６５と信号出力端子６７とを接続するＡポート側入出力切替スイッチ６８と、ダビング方向設定回路６４から出力されるダビング方向指示が“Ｂポート→Ａポート”であるとき、入出力端子６９と信号入力端子７０とを接続し、また“Ａポート→Ｂポート”であるとき、入出力端子６９と信号出力端子７１とを接続するＢポート側入出力切替スイッチ７２とを備えている。
【００３９】
さらに、映像信号変換装置６１は、信号入力部、制御部、信号変換部、信号出力部等を持ち、Ａポート側入出力切替スイッチ６８の信号入力端子６６を介してＭＰＥＧ２−ＴＳデータストリームが供給されたとき、これを取り込んで、“４８０ｐ／７２０ｐ→１０８０ｉ変換”、または“１０８０ｉ変換→４８０ｐ変換”、あるいは“１０８０ｉ変換→７２０ｐ変換”して、Ｂポート側入出力切替スイッチ７２の信号出力端子７１にＭＰＥＧ２−ＴＳデータストリームを供給するＡ→Ｂダビング用変換回路７３と、信号入力部、制御部、信号変換部、信号出力部等を持ち、Ｂポート側入出力切替スイッチ７２の信号入力端子７０を介してＭＰＥＧ２−ＴＳデータストリームが供給されたとき、これを取り込んで、“４８０ｐ／７２０ｐ→１０８０ｉ変換”、または“１０８０ｉ変換→４８０ｐ変換”、あるいは“１０８０ｉ変換→７２０ｐ変換”して、Ａポート側入出力切替スイッチ６８の信号出力端子６７にＭＰＥＧ２−ＴＳデータストリームを供給するＢ→Ａダビング用変換回路７４とを備えている。
【００４０】
以上の構成において、Ａポート６２と、Ｂポート６３とに記録再生機能を持つデジタルハイビジョンカメラ等が各々、接続されるとともに、編集者等によって、ダビング方向設定回路６４が操作されて、Ａポート６２に接続されたデジタルハイビジョンカメラ等に記録されている映像データをＢポート６３に接続されたデジタルハイビジョンカメラ等にダビングするように設定されたとき、Ａポート側入出力切替スイッチ６８の入出力端子６５と、信号入力端子６６とが接続されるとともに、Ｂポート側入出力切替スイッチ７２の入出力端子６９と、信号出力端子７１とが接続される。
【００４１】
この後、Ａポート６２に接続されたデジタルハイビジョンカメラ等が再生状態にされるとともに、Ｂポート６３に接続されたデジタルハイビジョンカメラ等が記録状態にされたとき、Ａ→Ｂダビング用変換回路７３によって、Ａポート６２に接続されたデジタルハイビジョンカメラから出力されるＭＰＥＧ２−ＴＳデータストリームが取り込まれて、“４８０ｐ／７２０ｐ→１０８０ｉ変換”、または“１０８０ｉ変換→４８０ｐ変換”、あるいは“１０８０ｉ変換→７２０ｐ変換”されるとともに、ＭＰＥＧ２−ＴＳデータストリームに再エンコードされ、Ｂポート６３に接続されたデジタルハイビジョンカメラに記録される。
【００４２】
また、この状態で、編集者等によって、ダビング方向設定回路６４が操作されて、Ｂポート６３に接続されたデジタルハイビジョンカメラ等に記録されている映像データをＡポート６２に接続されたデジタルハイビジョンカメラ等にダビングするように設定されたとき、Ｂポート側入出力切替スイッチ７２の入出力端子６９と、信号入力端子７０とが接続されるとともに、Ａポート側入出力切替スイッチ６８の入出力端子６５と、信号出力端子６７とが接続される。
【００４３】
この後、Ｂポート６３に接続されたデジタルハイビジョンカメラ等が再生状態にされるとともに、Ａポート６２に接続されたデジタルハイビジョンカメラ等が記録状態にされたとき、Ｂ→Ａダビング用変換回路７４によって、Ｂポート６３に接続されたデジタルハイビジョンカメラから出力されるＭＰＥＧ２−ＴＳデータストリームが取り込まれて、“４８０ｐ／７２０ｐ→１０８０ｉ変換”、または“１０８０ｉ変換→４８０ｐ変換”、あるいは“１０８０ｉ変換→７２０ｐ変換”して、ＭＰＥＧ２−ＴＳデータストリームに再エンコードされ、Ａポート６２に接続されたデジタルハイビジョンカメラに記録される。
【００４４】
このように、第３の実施形態では、ダビング方向設定回路６４の操作内容に応じて、Ａポート側入出力切替スイッチ６８と、Ｂポート側入出力切替スイッチ７２とを切り替えて、Ａ→Ｂダビング用変換回路７３、またはＢ→Ａダビング用変換回路７４のいずれか一方をＡポート６２、Ｂポート６３に接続し、Ａポート６２側からＢポート６３側へのデータダビング、またはＢポート６３側からＡポート６２側へのデータダビングを行わせるようにした。このため、Ａポート６２と、Ｂポート６３とに記録再生機能を持つデジタルハイビジョンカメラ等が各々、接続されているとき、これらを繋ぎ変えることなく、ダビング方向設定回路６４を操作するだけで、各デジタルハイビジョンカメラに記録されているデジタルハイビジョン映像データを双方向でダビングすることができる。
【００４５】
《他の実施形態》
また、上述した各実施形態では、１秒間に６０フィールドの画像データを使用するデジタルハイビジョン映像データを単独、またはこのような６０フィールド方式のデジタルハイビジョン映像データとともに、１秒間に５０フィールドの画像データを使用するデジタルハイビジョン映像データを信号変換するようにしているが、５０フィールド方式のデジタルハイビジョン映像データのみを信号変換するようにしても良い。
【図面の簡単な説明】
【００４６】
【図１】本発明による映像信号変換装置の第１の実施形態を示すブロック図である。
【図２】図１に示す映像信号変換装置と、再生装置と、記録装置との接続例を示すブロック図である。
【図３】図１に示す制御回路の出力画像データＶライン数選択処理例を示すフローチャートである。
【図４】本発明による映像信号変換装置の第２の実施実施形態を示すブロック図である。
【図５】本発明による映像信号変換装置の第３の実施実施形態を示すブロック図である。
【符号の説明】
【００４７】
１：映像信号変換装置
２：信号入力部
３：制御部
４：信号変換部
５：信号出力部
６：再生装置
７：記録装置
８：ＩＥＥＥ１３９４ケーブル
９：ＩＥＥＥ１３９４インタフェース回路
１０：ＩＥＥＥ１３９４インタフェース回路
１１：ＩＥＥＥ１３９４入力回路
１２：ＭＰＥＧ２−ＴＳデコーダ回路
１３：４８０ｐ／７２０ｐ選択回路
１４：Ｖライン数検出回路
１５：出力Ｖライン数選択回路
１７：入力切替スイッチ
１８：信号入力端子
１９：４８０ｐ入力端子
２０：７２０ｐ入力端子
２１：１０８０ｉ入力端子
２２：４８０ｐ／７２０ｐ→１０８０ｉ変換回路
２３：１０８０ｉ→４８０ｐ変換回路
２４：１０８０ｉ→７２０ｐ変換回路
２５：出力切替スイッチ
２６：１０８０ｉ出力端子
２７：４８０ｐ出力端子
２８：７２０ｐ出力端子
２９：信号出力端子
３０：ＩＥＥＥ１３９４ケーブル
３１：ＩＥＥＥ１３９４インタフェース回路
３２：ＭＰＥＧ２−ＴＳエンコーダ回路
３３：ＩＥＥＥ１３９４出力回路
３４：ＩＥＥＥ１３９４インタフェース回路
４１：映像信号変換装置
４２：制御部
４３：信号変換部
４４：４８０ｐ／５７６ｐ／７２０ｐ選択回路
４５：Ｖライン数検出回路
４６：出力Ｖライン数選択回路
４７：入力切替スイッチ
４８：５７６ｐ入力端子
４９：４８０ｐ／５７６ｐ／７２０ｐ→１０８０ｉ変換回路
５０：１０８０ｉ→５７６ｐ変換回路
５１：５７６ｐ出力端子
６１：映像信号変換装置
６２：Ａポート
６３：Ｂポート
６４：ダビング方向設定回路
６５：入出力端子
６６：信号入力端子
６７：信号出力端子
６８：Ａポート側入出力切替スイッチ
６９：入出力端子
７０：信号入力端子
７１：信号出力端子
７２：Ｂポート側入出力切替スイッチ
７３：Ａ→Ｂダビング用変換回路
７４：Ｂ→Ａダビング用変換回路
【図１】
2007082146.tif 000003
【図２】
2007082146.tif 000004
【図３】
2007082146.tif 000005
【図４】
2007082146.tif 000006
【図５】
2007082146.tif 000007